(57)【要約】【課題】貯蔵室に設けられた収納容器の上面開口部を収納容器の上面に沿って移動する開閉部によって開閉する冷蔵庫において、開閉部の開閉時に収納容器が移動するのを抑えることができる冷蔵庫を提供する。【解決手段】上面に開口する収納容器１００と、収納容器１００の上面に沿って移動し収納容器１００の上面開口部１０１を開閉する開閉部１３０と、収納容器１００の下方に設けられ開閉部１３０の移動方向と同じ方向に収納容器１００を摺動可能に支持する下段容器２７を備えた冷蔵庫において、収納容器１００の上面開口部１０１を閉塞する状態から開放する方向へ開閉部１３０が収納容器１００に対して摺動する際に、開閉部１３０が凹部１０４ｂを乗り越えるのに必要な摺動抵抗を、収納容器１００と下段容器２７との係止を解除するのに必要な摺動抵抗より小さく設定する。【選択図】        図５
2019190825.tif 000002
【特許請求の範囲】
【請求項１】
貯蔵室と、前記貯蔵室に設けられた上面に開口する収納容器と、前記収納容器の上面に沿って前記収納容器に対して相対的に移動し前記収納容器の上面開口部を開閉する開閉部と、前記収納容器の下方に設けられ前記開閉部の移動方向と同じ方向に前記収納容器を摺動可能に支持する下段容器を備え、
前記収納容器は、前記開閉部が摺動し前記開閉部の移動を案内するレールを備え、
前記レールは、前記開閉部が前記収納容器から離隔した状態で前記開閉部を摺動させるレール本体と、前記レール本体より下方に陥没し前記レール本体を摺動する前記開閉部を前記収納容器の上面開口部を閉塞する位置において下方へ移動させ前記収納容器に前記開閉部を当接させる凹部とを備え、
前記収納容器は、前記下段容器に係止し前記下段容器の移動に伴って移動可能に設けられ、
前記収納容器の上面開口部を閉塞する状態から開放する方向へ前記開閉部が前記収納容器に対して摺動する際に、前記開閉部が前記凹部を乗り越えるのに必要な摺動抵抗が、前記収納容器と前記下段容器との係止を解除するのに必要な摺動抵抗より小さい冷蔵庫。
【請求項２】
前記収納容器は、凹凸の嵌め合いによって前記下段容器に係止する請求項１に記載の冷蔵庫。
【請求項３】
前記下段容器は、前記収納容器が摺動する摺動面に上方へ突出する凸部を備え、
前記凸部は、前記開閉部が前記収納容器の上面開口部を開放する方向へ行くほど上方へ傾斜する凸部傾斜面を備え、
前記レールは、前記凹部の前記レール本体側に前記レール本体に近づくほど上方へ傾斜するレール傾斜面を備え、前記レール傾斜面の水平方向に対する傾斜角度が前記凸部傾斜面より小さい請求項２に記載の冷蔵庫。
【請求項４】
前記開閉部は、前記レールを摺動する枠部と、前記枠部の内側において前記収納容器の上面開口部を覆う板部とを備える請求項１〜３のいずれか１項に記載の冷蔵庫。
【請求項５】
前記開閉部は、前記枠部より前記板部の密度が大きい請求項４に記載の冷蔵庫。
【請求項６】
前記板部が透明である請求項４又は５に記載の冷蔵庫。
【請求項７】
前記開閉部の移動方向と同じ方向に前記収納容器を摺動可能に支持する容器レールを前記貯蔵室の内壁面に備え、前記開閉部が前記容器レールを摺動する脚部を備える請求項１〜６のいずれか１項に記載の冷蔵庫。
【請求項８】
前記収納容器は、前記開閉部が前記収納容器の上面開口部を閉塞する方向へ行くほど下方へ傾斜する傾斜部を備え、
前記傾斜部が、前記収納容器の上面開口部を閉塞する前記開閉部を下方へ押圧する請求項１〜７のいずれか１項に記載の冷蔵庫。
【発明の詳細な説明】
【技術分野】
【０００１】
本発明の実施形態は、冷蔵庫に関するものである。
【背景技術】
【０００２】
冷蔵庫に貯蔵される食品等の貯蔵品の劣化要因として、空気中に存在する酸素による酸化や乾燥が知られている。そこで、貯蔵室に設けた収納容器内の酸素を減少させたり、収納容器内を高湿度に保持することで、貯蔵品の酸化や乾燥を抑えて鮮度を維持することができる冷蔵庫が知られている（例えば、特許文献１参照）。
【０００３】
このような冷蔵庫では、冷蔵庫内における収納容器の配置や使い勝手を考慮して、収納容器の上面に貯蔵品を取り出すための開口部を設け、収納容器の上面に沿って移動する蓋体によって上面開口部を開閉することがあるが、収容容器の気密性を高めて鮮度維持効果を高めるため、収納容器の上面開口部の周縁部と蓋体の下面との間に設けられるパッキン等のシール材を設けると、蓋体の開閉時にシール材が収納容器と擦れ合って摩耗劣化しやすくなる。
【先行技術文献】
【特許文献】
【０００４】
【特許文献１】特開２００４−２１８９２４号公報
【発明の概要】
【発明が解決しようとする課題】
【０００５】
そこで、本発明の実施形態では、貯蔵室に設けられた収納容器の上面開口部を収納容器の上面に沿って移動する蓋体で開閉する冷蔵庫において、蓋体の開閉時にシール材が収納容器と擦れ合って摩耗劣化するのを抑えることができる冷蔵庫を提供することを目的とする。
【課題を解決するための手段】
【０００６】
本実施形態の冷蔵庫は、貯蔵室と、前記貯蔵室に設けられた上面に開口する収納容器と、前記収納容器の上面に沿って前記収納容器に対して相対的に移動し前記収納容器の上面開口部を開閉する開閉部と、前記収納容器の下方に設けられ前記開閉部の移動方向と同じ方向に前記収納容器を摺動可能に支持する下段容器を備え、前記収納容器は、前記開閉部が摺動し前記開閉部の移動を案内するレールを備え、前記レールは、前記開閉部が前記収納容器から離隔した状態で前記開閉部を摺動させるレール本体と、前記レール本体より下方に陥没し前記レール本体を摺動する前記開閉部を前記収納容器の上面開口部を閉塞する位置において下方へ移動させ前記収納容器に前記開閉部を当接させる凹部とを備え、前記収納容器は、前記下段容器に係止し前記下段容器の移動に伴って移動可能に設けられ、前記収納容器の上面開口部を閉塞する状態から開放する方向へ前記開閉部が前記収納容器に対して摺動する際に、前記開閉部が前記凹部を乗り越えるのに必要な摺動抵抗が、前記収納容器と前記下段容器との係止を解除するのに必要な摺動抵抗より小さいものである。
【図面の簡単な説明】
【０００７】
【図１】第１実施形態の冷蔵庫の断面図である。
【図２】収納容器の斜視図である。
【図３】図１のＡ−Ａ断面図である。
【図４】野菜室扉を開扉した冷蔵庫の要部を示す断面図である。
【図５】図４の要部を拡大して示す図である。
【図６】蓋体を開放した冷蔵庫の要部を示す断面図である。
【図７】蓋体を開放した冷蔵庫の要部を示す断面図である。
【図８】第２実施形態の冷蔵庫において蓋体を開放した状態の要部拡大断面図である。
【図９】第２実施形態の冷蔵庫において蓋体が収納容器を閉塞する状態の要部拡大断    面図である。
【発明を実施するための形態】
【０００８】
（第１実施形態）
以下、本発明の一実施形態について図面を参照して説明する。
【０００９】
本実施形態に係る冷蔵庫１０は、図１に示すように、外郭を形成する外箱と貯蔵空間を形成する内箱との間に断熱材を配設した前面に開口するキャビネット１１を備え、貯蔵空間を断熱仕切壁１２によって上方の冷蔵空間２０と下方の冷凍空間４０とに区画している。
【００１０】
冷蔵空間２０は、冷蔵温度（例えば、２〜３℃）に冷却される空間であって、内部がさらに仕切板２１によって上下に区画され、上部空間に複数段の載置棚２３を設けた冷蔵室２２が設けられ、下部空間に引き出し式の引出容器２５を配置する野菜室２４が設けられている。
【００１１】
冷蔵室２２の開口部は、キャビネット１１の一側部の上下に設けられたヒンジにより回動自在に枢支された冷蔵室扉２２ａにより閉塞されている。
【００１２】
野菜室２４の開口部は、引き出し式の野菜室扉２４ａにより閉塞されている。野菜室扉２４ａの裏面側には、引出容器２５を保持する左右一対の支持枠が固着されており、開扉動作とともに引出容器２５が庫外に引き出されるように構成されている。
【００１３】
野菜室２４の下方に断熱仕切壁１２を介して配置された冷凍空間４０には、自動製氷装置を備えた製氷室と第１冷凍室４４を左右に併設しており、その下方には第２冷凍室４６が設けられている。
【００１４】
製氷室、第１冷凍室４４、及び第２冷凍室４６の開口部は、引き出し式の扉４４ａ、４６ａにより閉塞され、各扉４４ａ、４６ａは、その裏面側に固着した左右一対の支持枠に収納容器４５、４７が保持されており、開扉動作とともに該収納容器が庫外に引き出されるように構成されている。
【００１５】
キャビネット１１の背面底部には、機械室３０が設けられ、冷凍サイクルを構成する圧縮機５１などが載置されている。
【００１６】
冷蔵空間２０の背面には、蒸発器カバー１４とキャビネット１１の背面との間に蒸発器室２６が区画形成されており、蒸発器室２６内に冷蔵用蒸発器５２と冷蔵用ファン５３が配設されている。冷蔵用蒸発器５２は蒸発器室２６内の空気と熱交換してこれを冷却し、冷蔵用ファン５３の回転駆動によって冷蔵用蒸発器５２で生成された冷気を吹出口より冷蔵室２２及び野菜室２４に導入することで、冷蔵空間２０を所定温度に冷却する。冷蔵空間２０を冷却し終えた冷気は、吸込口から再び蒸発器室２６に戻され冷蔵用蒸発器５２と熱交換して冷却される。
【００１７】
冷凍空間４０の背面には、蒸発器カバー３３とキャビネット１１の背面との間に蒸発器室３４が区画形成されており、蒸発器室３４内に冷凍用蒸発器５４と冷凍用ファン５５が配設されている。冷凍用蒸発器５４は蒸発器室３４内の空気と熱交換して冷却し、冷凍用ファン５５の回転駆動によって冷凍用蒸発器５４で生成された冷気を吹出口より製氷室、第１冷凍室４４、および第２冷凍室４６に導入することで、冷凍空間４０を所定温度に冷却する。冷凍空間４０を冷却し終えた冷気は、吸込口から再び蒸発器室３４に戻され冷凍用蒸発器５４と熱交換して冷却される。
【００１８】
冷蔵用蒸発器５２及び冷凍用蒸発器５４は、機械室３０に設けられた圧縮機５１や凝縮器（不図示）や切替弁（不図示）とともに冷凍サイクルを構成し、圧縮機５１から吐出された冷媒によって冷却される。
【００１９】
このような構成の冷蔵庫１０において、野菜室２４に設けられた引出容器２５は、野菜室２４のほぼ全幅にわたって設けられた下段容器２７と、下段容器２７の上方に設けられた収納容器１００とを備え、上下２段に重なり合う構造をなしている。
【００２０】
下段容器２７は、前方壁、後方壁、左右側壁によって囲まれた上方に開口する有底の箱状をなしており、収納容器１００に比べて下段容器２７の収容深さが深く設けられている。下段容器２７は、野菜室扉２４ａの裏面側に固着された左右一対の支持枠に保持されており、野菜室扉２４ａの開扉動作とともに庫外へ引き出されるように構成されている。
【００２１】
下段容器２７の左右側壁の上端は、収納容器１００に設けられた容器下脚部１０６が載置されるとともに前後方向に摺動する摺動面２８をなしており、この摺動面２８の前部に上方へ突出する凸部２９が設けられている。この凸部２９の前側には、後方に行くほど上方へ傾斜する凸部傾斜面２９ａが形成されている（図４及び図５参照）。
【００２２】
下段容器２７の上方に設けられた収納容器１００は、前方壁、後方壁、左右側壁によって囲まれた上方に開口する有底の箱状をなしている。収納容器１００の上面に設けられた上面開口部１０１は、内部に貯蔵品を出し入れするための開口部であって、蓋体１３０によって開閉可能に閉塞されている。
【００２３】
収納容器１００は、冷蔵室２２と野菜室２４とを区画する仕切板２１の下方に近接させて配置され、野菜室２４の左右の内側壁面に設けられた内箱レール２４ｂと下段容器２７の左右側壁の上端に設けられた摺動面２８とを前後方向に摺動することで、下段容器２７と独立して庫外へ引き出し可能に野菜室２４に設けられている。
【００２４】
収納容器１００の背面には、後方に開口する背面開口部１０２が設けられている。収納容器１００は、野菜室扉２４ａが閉扉され野菜室２４内に収納された状態で後方に設けられた減酸素装置２００と接続ダクト２０１によって接続され、収納容器１００の内部が、接続ダクト２０１及び背面開口部１０２を介して減酸素装置２００と連通している。
【００２５】
減酸素装置２００は、固体高分子電解質膜が一対の電極によって挟まれた状態でケース内に収納されており、アノード電極とカソード電極との間に電圧を印加すると、アノード電極において空気中の水分を分解して発生した水素イオンが、アノード電極側からカソード電極側へ移動し、接続ダクト２０１を介して接続された収納容器１００内部の酸素と反応して水を生成することで、収納容器１００内の酸素を減少させる。
【００２６】
収納容器１００の上面開口部１０１の周縁部には、外方に延びるフランジ部１０３が形成され、フランジ部１０３の上面にシール材１３２を介して蓋体１３０が当接することで、収納容器１００の上面開口部１０１を閉塞する。
【００２７】
収納容器１００の左右側壁の外側には、蓋レール１０４、容器上脚部１０５、及び容器下脚部１０６が幅方向外方へ突出している。
【００２８】
蓋レール１０４は、フランジ部１０３の下方において前後方向に延びる突条であり、収納容器１００の左右側壁の後端から略水平に前方へ延びるレール本体１０４ａと、レール本体１０４ａの前方においてレール本体１０４ａより下方に陥没するレール凹部１０４ｂとを備える。このレール凹部１０４ｂは、レール本体１０４ａ側（後側）がレール本体１０４ａに近づくほど上方へ傾斜する蓋レール傾斜面１０４ｃをなしている。
【００２９】
蓋レール傾斜面１０４ｃは、水平方向（前後方向）に対する傾斜角度  が、下段容器２７の凸部２９の前側に設けられた凸部傾斜面２９ａの水平方向に対する傾斜角度φより小さく設けられ、蓋レール傾斜面１０４ｃの高さ寸法Ｈが、凸部２９の下段容器２７上端からの突出寸法ｈより小さく設けられている（図5参照）。
【００３０】
容器上脚部１０５は、蓋レール１０４より下方であって収納容器１００の上部に位置し、収納容器１００の左右側壁の前部及び後部にそれぞれ設けられている。容器上脚部１０５は、野菜室２４の左右の内側壁面に設けられた内箱レール２４ｂに載置されこの上を前後方向に摺動することで、収納容器１００の上部を前後方向へ移動可能に支持する。
【００３１】
容器下脚部１０６は、容器上脚部１０５より下方であって収納容器１００の下部に位置し、収納容器１００の左右側壁の前部及び後部にそれぞれ設けられている。容器下脚部１０６は、下段容器２７の左右側壁の上端に設けられた摺動面２８に載置され、この上を前後方向に摺動することで、収納容器１００の下部を前後方向へ移動可能に支持する。
【００３２】
また、この例では、前側に位置する容器下脚部１０６の下面に上方に陥没する係止部１０６ａが形成され、図１に示すような野菜室扉２４ａの閉扉状態では、収納容器１００全体が下段容器２７の上方に位置し、容器下脚部１０６に設けられた係止部１０６ａに下段容器２７の凸部２９が嵌まり込み、収納容器１００が下段容器２７と前後方向に係止する。
【００３３】
このような収納容器１００は、図１に示す野菜室扉２４ａが閉扉された状態から開扉され下段容器２７が庫外へ引き出されると、容器下脚部１０６の係止部１０６ａが下段容器２７の凸部２９と係止しているため、収納容器１００も下段容器２７とともに庫外へ引き出される（図４参照）。
【００３４】
また、野菜室扉２４ａの閉扉動作とともに下段容器２７が後方へ移動すると、容器下脚部１０６の係止部１０６ａに下段容器２７の凸部２９が嵌まり込んだ状態にあれば、下段容器２７とともに収納容器１００も後方へ移動し庫内へ収納され、前側の容器下脚部１０６が下段容器２７の凸部２９より後方に位置した状態（つまり、収納容器１００が下段容器２７に対して後方へスライド移動した状態）にあれば、閉扉動作に伴う下段容器２７の後方移動中に下段容器２７の凸部２９が容器下脚部１０６の係止部１０６ａに嵌まり込み、その後、下段容器２７とともに収納容器１００も後方へ移動し庫内へ収納されるようになっている。
【００３５】
蓋体１３０は、図２及び図３に示すように、収納容器１００の上面開口部１０１全体を覆う略平板状をなしており、この例では、蓋体１３０の周縁部を構成する枠部１３４と、この枠部１３４の内側において収納容器１００の上面開口部１０１を覆う板部１３６とを備える。
【００３６】
枠部１３４は、収納容器１００の上面開口部１０１に対応する位置に板部１３６を嵌め込む開口部１３８が形成された枠形状をなしており、例えば、ＡＢＳやＰＰ等の合成樹脂材で形成されている。
【００３７】
枠部１３４の下面には、上方へ向けて陥没する環状溝１４０が開口部１３８を取り囲むように形成され、環状溝１４０に環状のシール材１３２が嵌め込まれている。蓋体１３０が収納容器１００の上面開口部１０１全体を覆うと、シール材１３２が収納容器１００のフランジ部１０３に当接した状態で、枠部１３４の下面がフランジ部１０３と上下方向に対向し、収納容器１００の上面開口部１０１と蓋体１３０との間をシールする。
【００３８】
枠部１３４の左右側端の前部には、収納容器１００のフランジ部１０３より幅方向外方において下方に延びる垂下部１４２と、垂下部１４２の下部から幅方向内側に向かって、つまり、収納容器１００の左右側壁に向かって突出する摺動ピン１４４が設けられている。摺動ピン１４４は、収納容器１００の左右側壁に設けられた蓋レール１０４の上面に載置されこの上を前後方向に摺動することで蓋体１３０の前後方向の開閉移動を案内する。
【００３９】
また、枠部１３４の左右側端の後部には、下方に延びる蓋脚部１４６が設けられている。この蓋脚部１４６は、野菜室２４の内側壁面に設けられた内箱レール２４ｂと幅方向に対応する位置にあり、蓋体１３０が収納容器１００の上面開口部１０１を閉塞した状態において、蓋脚部１４６の下端が、収納容器１００の容器上脚部１０５の下面（内箱レール２４ｂに摺動する面）と略同一高さに位置する。蓋脚部１４６は、蓋体１３０の開閉移動時（前後移動時）に内箱レール２４ｂの上面を摺動することで蓋体１３０の後部を支持する。
【００４０】
板部１３６は、枠部１３４に嵌め込まれ開口部１３８を閉塞して板状体からなり、この例では、透明なガラスまたは合成樹脂材で形成され、枠部１３４より密度の大きい材料で形成されている。
【００４１】
このような蓋体１３０は、図１〜図５に示すような収納容器１００を閉塞する状態、つまり、シール材１３２を収納容器１００のフランジ部１０３に当接させつつ蓋体１３０が収納容器１００の上面開口部１０１全面を覆う状態では、摺動ピン１４４が蓋レール１０４のレール凹部１０４ｂに位置する。なお、この例では、蓋体１３０は、自重によってシール材１３２を収納容器１００のフランジ部１０３に押し付けて収納容器１００の上面開口部１０１との間をシールする。また、蓋体１３０の左右側縁部の後部に設けられた蓋脚部１４６は、野菜室２４の内側壁面に設けられた内箱レール２４ｂに載置されている（図４参照）。
【００４２】
そして、蓋体１３０が収納容器１００を閉塞する状態から蓋体１３０を後方へスライドさせると、図６に示すように、蓋レール１０４のレール凹部１０４ｂに位置する摺動ピン１４４が、蓋レール傾斜面１０４ｃを摺動しながら後方へ移動することで、蓋体１３０を上方へ持ち上げてシール材１３２を収納容器１００のフランジ部１０３から引き離す。
【００４３】
この時、図４及び図５に示すような収納容器１００に設けられた容器下脚部１０６の係止部１０６ａに下段容器２７の凸部２９が嵌まり込んだ状態にあれば、蓋レール傾斜面１０４ｃの水平方向に対する傾斜角度θが、凸部傾斜面２９ａの水平方向に対する傾斜角度φより小さく設定され、摺動ピン１４４が蓋レール傾斜面１０４ｃを乗り越えるのに必要な摺動抵抗が、容器下脚部１０６が凸部傾斜面２９ａを乗り越えるのに必要な摺動抵抗に比べて小さいため、蓋体１３０を後方へスライドさせて摺動ピン１４４をレール凹部１０４ｂからレール本体１０４ａへスライドさせても容器下脚部１０６の係止部１０６ａと凸部２９との係止が解除されることがなく収納容器１００が後方へ移動することがない。
【００４４】
シール材１３２が収納容器１００のフランジ部１０３から離れると、蓋体１３０は、前部が蓋レール１０４に載置された摺動ピン１４４によって支持され、後部が内箱レール２４ｂに載置された蓋脚部１４６によって支持されることで、シール材１３２がフランジ部１０３から離れた状態を保つ。
【００４５】
そして、図７に示すように蓋体１３０を更に後方へスライド移動させると、摺動ピン１４４が蓋レール１０４のレール本体１０４ａを後方へ摺動し、蓋脚部１４６が内箱レール２４ｂを後方へ摺動することで、蓋体１３０のシール材１３２が収納容器１００のフランジ部１０３から離隔した状態を保ったまま蓋体１３０が後方へ移動して収納容器１００の上面開口部１０１を開放する。
【００４６】
また、図７に示すような蓋体１３０が収納容器１００の後方に位置し収納容器１００の上面開口部１０１が開放した状態から蓋体１３０を前方へスライドさせると、摺動ピン１４４が蓋レール１０４のレール本体１０４ａを前方へ摺動し、蓋脚部１４６が内箱レール２４ｂを前方へ摺動することで、蓋体１３０のシール材１３２が収納容器１００のフランジ部１０３から離隔した状態を保ったまま蓋体１３０が前方へ移動する。そして、摺動ピン１４４が蓋レール傾斜面１０４ｃを前方へ摺動することで蓋体１３０を下方へ移動させシール材１３２を収納容器１００のフランジ部１０３に当接させ、蓋体１３０が収納容器１００を閉塞する。
【００４７】
なお、本実施形態では、収納容器１００の容器上脚部１０５と、蓋体１３０の蓋脚部１４６が、いずれも同一の内箱レール２４ｂ上を摺動する場合について説明したが、野菜室２４の内側壁面に内箱レール２４ｂを２組設け、容器上脚部１０５と蓋脚部１４６とが異なるレール上を摺動してもよい。
【００４８】
以上のような本実施形態では、収納容器１００に設けられた蓋レール１０４が、レール本体１０４ａとレール本体１０４ａより下方に陥没するレール凹部１０４ｂとを備え、蓋体１３０に設けられた摺動ピン１４４がレール本体１０４ａを摺動すると、シール材１３２を収納容器１００のフランジ部１０３から離隔させた状態で蓋体１３０がスライド移動し、摺動ピン１４４がレール本体１０４ａからレール凹部１０４ｂへ移動すると、シール材１３２を収納容器１００のフランジ部１０３に当接させ、蓋体１３０が収納容器１００を閉塞する。そのため、蓋体１３０を収納容器１００に対してスライド移動させてもシール材１３２が収納容器１００と擦れ合うことがなく摩耗劣化を抑えることができる。
【００４９】
また、本実施形態では、蓋体１３０を構成する枠部１３４と板部１３６とを別部材で形成し、枠部１３４より板部１３６を密度の大きい材料で形成しているため、摩擦抵抗の小さい材料や複雑な形状に成形しやすい材料で枠部１３４を構成することで、摺動ピン１４４及び蓋脚部１４６の摺動抵抗を小さくしたり、蓋体１３０の製造性を向上させつつ、蓋体１３０の重量を大きくして蓋体１３０の自重によってシール材１３２を収納容器１００のフランジ部１０３に押し付けて収納容器１００の上面開口部１０１との間をシールしやすくなる。しかも、収納容器１００の上面開口部１０１を覆う板部１３６が透明であるため、蓋体１３０が収納容器１００を閉塞した状態で内部を目視することができ使い勝手を向上することができる。
【００５０】
また、本実施形態では、蓋体１３０の後部を支持する蓋脚部１４６が、野菜室２４の内側壁面に設けられた内箱レール２４ｂに載置され、収納容器１００の容器上脚部１０５と蓋脚部１４６とが摺動するレールを共用するため、野菜室２４の内側壁面の構造を簡素化することができ、キャビネット１１の貯蔵空間を形成する内箱の成形性の向上及び庫内容積の拡大を図ることができる。
【００５１】
（第２実施形態）
第２実施形態について図８及び図９を参照して説明する。なお、上記した第１実施形態と同一又は対応する構成には同一符号を付し、詳細な説明を省略する。
【００５２】
本実施形態では、収納容器１００が、収納容器１００の上面開口部１０１を閉塞する蓋体１３０を下方へ押圧する傾斜部１５０を左右側壁の外側に備える。
【００５３】
具体的には、傾斜部１５０は、蓋レール傾斜面１０４ｃの上方に間隔をあけて設けられ、蓋レール傾斜面１０４ｃと上下に対向する対向面１５０ａが、前方へ行くほど下方へ傾斜している。
【００５４】
本実施形態では、収納容器１００の上面開口部１０１が開放した状態から蓋体１３０を前方へスライドさせると、摺動ピン１４４が蓋レール１０４のレール本体１０４ａを前方へ摺動する（図８参照）。そして、摺動ピン１４４は、蓋レール傾斜面１０４ｃに達すると、蓋レール傾斜面１０４ｃに沿って前方へ移動しながら下方へ移動することでシール材１３２を収納容器１００のフランジ部１０３に当接させ、蓋体１３０が収納容器１００を閉塞する。その際、図９に示すように、摺動ピン１４４は、傾斜部１５０の対向面１５０ａに当接するが、対向面１５０ａが前方へ行くほど下方へ傾斜しているため、前方移動に伴って傾斜部１５０によって下方に押し付けられる。
【００５５】
これにより、蓋体１３０は、自重に加えて傾斜部１５０から受ける下方へ押力によってシール材１３２を収納容器１００のフランジ部１０３との間で押し潰し、収納容器１００の上面開口部１０１との間をより確実にシールすることができる。
【００５６】
なお、上記した構成及び作用効果以外は第１実施形態と同様であり、詳細な説明は省略する。
【００５７】
（その他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５８】
１０…冷蔵庫、１１…キャビネット、１２…断熱仕切壁、２０…冷蔵空間、２４…野菜室、２４ａ…野菜室扉、２４ｂ…内箱レール、２５…引出容器、２６…蒸発器室、２７…下段容器、２８…摺動面、２９…凸部、２９ａ…凸部傾斜面、１００…収納容器、１０１…上面開口部、１０３…フランジ部、１０４…蓋レール、１０４ａ…レール本体、１０４ｂ…レール凹部、１０４ｃ…蓋レール傾斜面、１０５…容器上脚部、１０６…容器下脚部、１０６ａ…係止部、１３０…蓋体、１３２…シール材、１３４…枠部、１３６…板部、１３８…開口部、１４０…環状溝、１４２…垂下部、１４４…摺動ピン、１４６…蓋脚部、１５０…傾斜部、１５０ａ…対向面
【図１】
2019190825.tif 000003
【図２】
2019190825.tif 000004
【図３】
2019190825.tif 000005
【図４】
2019190825.tif 000006
【図５】
2019190825.tif 000007
【図６】
2019190825.tif 000008
【図７】
2019190825.tif 000009
【図８】
2019190825.tif 000010
【図９】
2019190825.tif 000011